(57)【要約】【課題】本発明は、畝で仕切られた圃場を横切って直線的に移動しながら農作業を行う自律走行の圃場作業車を安全に使用できるようにすることを課題とする。【解決手段】ＧＰＳ受信器６で機体位置を認識して地形地図データ７に走行開始地点Ａと目標地点Ｂを登録し、走行装置１０と操舵装置１１を制御して走行開始地点Ａから目標地点Ｂに向かって自律走行する自律走行圃場作業車において、畔ＡＺを検出する畔検出手段８を設け、該畔検出手段８で畔を検出すると自律走行を中断し、人為操作による畔乗越え操作後に自律走行を再開することを特徴とする自律走行圃場作業車とする。【選択図】図２
2019146505.tif 000002
【特許請求の範囲】
【請求項１】
ＧＰＳ受信器（６）で機体位置を認識して地形地図データ（７）に走行開始地点（Ａ）と目標地点（Ｂ）を登録し、走行装置（１０）と操舵装置（１１）を制御して前記走行開始地点（Ａ）から前記目標地点（Ｂ）に向かって自律走行する自律走行圃場作業車において、畔（ＡＺ）を検出する畔検出手段（８）を設け、該畔検出手段（８）で畔を検出すると自律走行を中断し、人為操作による畔乗越え操作後に自律走行を再開することを特徴とする自律走行圃場作業車。
【請求項２】
前記畔検出手段を機体の傾きを検出する前後傾斜センサ（８）として、所定角以上の車体前上がり角を検出すると前記走行装置（１０）を停止することを特徴とする請求項１に記載の自律走行圃場作業車。  
【請求項３】
人為操作による畔乗越え操作後に前記前後傾斜センサ（８）が所定角以下の前下がり角になったことを検出すると、制御装置（５）が自律走行を再開することを特徴とする請求項２に記載の自律走行圃場作業車。  
【請求項４】
作業機（２）の昇降手段（１２）を設け、畔検出停止後に前記作業機（２）を上昇させると前記走行装置（１０）が走行を開始することを特徴とする請求項１に記載の自律走行圃場作業車。  
【請求項５】
機体の左右傾斜を検出する横傾斜センサ（９）を設け、前記横傾斜センサ（９）の傾斜で走行を停止する停止傾斜角は前後傾斜センサ（８）の傾斜で走行を停止する停止傾斜角よりも小さくしたことを特徴とする請求項１に記載の自律走行圃場作業車。
【請求項６】
制御装置（５）の自律走行制御を解除する緊急停止スイッチ（４）を設けたことを特徴とする請求項１に記載の自律走行圃場作業車。
【発明の詳細な説明】
【技術分野】
【０００１】
本発明は、圃場において播種、施肥、田植等の農作業を行う自律走行圃場作業車に関する。
【背景技術】
【０００２】
自律走行圃場作業車として、特許文献１に、地磁気方位センサを用いて、スタート時に車体の向きを所定の方位にセットした上でティーチング処理を行い、車体の向き（方位）を記憶することにより、以後は地磁気方位センサで検出した車体の向きをフィードバックしながら操舵機構を制御し、ティーチング時に記憶した所定の方位に直進走行することを可能とした技術が記載されている。
【０００３】
また、特許文献２には、ＧＰＳ装置により計測される位置情報に基づいて、ティーチング経路生成手段により生成されたティーチング経路に対して平行な目標経路を生成し、該目標経路上を自律的に走行する田植機が記載されている。
【０００４】
その他に、ＧＰＳやセンサ類を備え、ＧＰＳにより車体位置を計測しつつ、障害物センサや倣いセンサ等の各種センサからの情報に基づいて自律的に直進走行して作業を行う農用作業車も知られている。
【先行技術文献】
【特許文献】
【０００５】
【特許文献１】特許第４９４８０９８号公報
【特許文献２】特開２０１６−２１８９０号公報
【発明の概要】
【発明が解決しようとする課題】
【０００６】
前記従来の自律走行圃場作業車は、圃場内に設定した出発地と目的地の間を自律で直線的に走行し旋回は人為操作で行いながら往復移動して農作業を行うものであるが、畔で仕切られた複数の圃場で同じ農作業をする場合には、畔を横切って直線的に移動して農作業を行った方が作業効率が良くなる。しかし、畔が圃場面より高くなっているために、圃場作業車が畔を乗り越える際に機体が不安定になるので、自律走行が困難である。
【０００７】
本発明は、畝で仕切られた圃場を横切って直線的に移動しながら農作業を行う自律走行圃場作業車を安全に使用できるようにすることを課題とする。
【課題を解決するための手段】
【０００８】
上記本発明の課題は、次の技術手段により解決される。
【０００９】
請求項１の発明は、ＧＰＳ受信器６で機体位置を認識して地形地図データ７に走行開始地点Ａと目標地点Ｂを登録し、走行装置１０と操舵装置１１を制御して走行開始地点Ａから目標地点Ｂに向かって自律走行する自律走行圃場作業車において、畔ＡＺを検出する畔検出手段８を設け、該畔検出手段８で畔を検出すると自律走行を中断し、人為操作による畔乗越え操作後に自律走行を再開することを特徴とする自律走行圃場作業車とする。
【００１０】
請求項２の発明は、畔検出手段を機体の傾きを検出する前後傾斜センサ８として、所定角以上の車体前上がり角を検出すると走行装置１０を停止することを特徴とする請求項１に記載の自律走行圃場作業車とする。
【００１１】
請求項３の発明は、人為操作による畔乗越え操作後に前後傾斜センサ８が所定角以下の前下がり角になったことを検出すると、制御装置５が自律走行を再開することを特徴とする請求項２に記載の自律走行圃場作業車とする。
【００１２】
請求項４の発明は、作業機２の昇降手段１２を設け、畔検出停止後に作業機２を上昇させると走行装置１０が走行を開始することを特徴とする請求項１に記載の自律走行圃場作業車とする。
【００１３】
請求項５の発明は、機体の左右傾斜を検出する横傾斜センサ９を設け、横傾斜センサ９の傾斜で走行を停止する停止傾斜角は前後傾斜センサ８の傾斜で走行を停止する停止傾斜角よりも小さくしたことを特徴とする請求項１に記載の自律走行圃場作業車とする。
【００１４】
請求項６の発明は、制御装置５の自律走行制御を解除する緊急停止スイッチ４を設けたことを特徴とする請求項１に記載の自律走行圃場作業車とする。
【発明の効果】
【００１５】
請求項１の発明で、自律走行圃場作業車は圃場内を走行開始地点Ａから目標地点Ｂに向かって走行装置１０と操舵装置１１を制御して直進走行しながら作業機で圃場作業（播種、施肥、田植等）を行うが、走行装置１０が畔ＡＺを乗り越えようとすると畔検出手段８が畔を検出して走行装置が１０を停止するので、作業者が他の作業を行っていても停止した自律走行圃場作業車を操縦して安全に畔ＡＺを乗り越え、再び自律走行するので、作業者は操縦以外の作業にも傾注出来る。
【００１６】
請求項２の発明で、請求項１の効果に加えて、前後傾斜センサ８が所定の前上がり傾斜角を検出することで畔ＡＺに遭遇したとするので、畔を乗り越え始めると畔を確実に検出出来る。
【００１７】
請求項３の発明で、請求項２の効果に加えて、人為操作で畔ＡＺを乗り越えて前後傾斜センサ８が所定角以下の前下がり角になったことを検出して制御装置５が自律走行を開始するので、作業者の操縦が楽になる。
【００１８】
請求項４の発明で、請求項１の効果に加えて、畔ＡＺに遭遇して停止後に圃場作業車に乗った作業者が作業機２を上昇する操作を行うと走行装置１０が走行を開始するので、人為操作による畔ＡＺの乗り越えが容易に行える。
【００１９】
請求項５の発明で、請求項１の効果に加えて、圃場作業車が畔ＡＺに対して斜めに進むと横傾斜センサ９が機体の倒れ易い横傾斜を前後傾斜センサ８よりも早く検出して走行を停止するので、安全である。
【００２０】
請求項６の発明で、請求項１の効果に加えて、圃場作業車に乗った作業者が不調になるなどの緊急時に緊急停止スイッチ４で自律走行を停止させて安全を図ることが出来る。
【図面の簡単な説明】
【００２１】
【図１】自律走行圃場作業車としての田植機の自動制御ブロック図である。
【図２】田植機の圃場作業平面図である。
【図３】田植機の一部拡大平面図である。
【図４】田植機のステップフロアの一部正断面図である。
【図５】苗植付作業機の後部側面図である。
【図６】肥料散布機支持パイプの拡大断面図である。
【図７】田植機の右側面図である。
【発明を実施するための形態】
【００２２】
以下、本発明の実施形態を図面に示す実施例を参照しながら説明する。なお、実施例の説明においては、機体の前進方向に向かって左右方向をそれぞれ左、右といい、前進方向を前、後進方向を後というが、本発明の構成を限定するものでは無い。
【００２３】
図１は、田植機１の制御ブロック図で、制御装置５の入力側には、ＧＰＳ受信器６から機体の地形上位置、地形地図である地形データ７、前後傾斜センサ８から機体の前後傾斜角度、左右傾斜センサ９から機体の左右傾斜角度、目標地設定スイッチ１３から地形データ７上の走行目標地Ｂ、出発スイッチ１４のオン信号、緊急停止スイッチ４の停止信号がそれぞれ入力し、制御装置５の出力側から、走行装置１０に走行速度と走行停止制御、操舵装置１１に操舵制御、作業機昇降シリンダ１２に昇降制御、苗植付作業機２に駆動制御が、それぞれ出力する。
【００２４】
図２に示す圃場Ｈ１、Ｈ２、Ｈ３の平面図で、自律圃場作業車としての田植機１の苗植付作業機２による苗の植付作業を説明する
田植機１は、機体上の操縦席に作業者が座って操縦しながら圃場Ｈ１に侵入させる。機体の後部には作業機昇降シリンダ１２で苗移植装置２を昇降可能に装着し、圃場Ｈ１に入って走行開始地点Ａで苗移植装置２を圃場に降ろして植付開始準備を行う。
【００２５】
操縦席に座った作業者は、ナビゲーションの画面に表示される地形データ７に目標地設定スイッチ１３で圃場Ｈ３の目標値Ｂを入力し、走行速度を設定して出発スイッチ１４をオンする。すると、制御装置５から作業機昇降シリンダ１２に降下指示がなされると共に苗移植装置２が駆動され、走行装置１０が駆動されて田植機１が走行を開始して苗植付作業が開始する。
【００２６】
その後、制御装置５は、ＧＰＳ受信器６からの機体位置情報で地形データ７上の位置を認識しながら、圃場Ｈ１の凹凸や硬軟に応じて走行装置１０と操舵装置１１を制御しながら目標値Ｂに向かって直進走行を続ける。
【００２７】
やがて、隣の圃場Ｈ２との境目である畔ＡＺ１に差し掛かると田植機１の前輪が畔ＡＺ１に乗り上がったことを前後傾斜センサ８が所定角度（約１０°程度）の後傾を検出することで知り、制御装置５が走行装置１０を停止させる。
【００２８】
操縦者はブザー等で機体が停止したことを知ると、作業機昇降シリンダ１２を伸長させて苗植付作業機２を上昇させ、走行装置１０を駆動して前進走行させることで畔ＡＺ１を乗り越え、圃場Ｈ２に移動して苗植付作業機２を降下させる。すると、制御装置５が田植機１の直進走行制御を開始して苗移植装置２を駆動して苗の植付作業を再開始する。
【００２９】
なお、苗植付作業機２を上昇させると走行装置１０を駆動したり、前後傾斜センサ８が検出する前下り傾斜角が所定角以下になると苗植付作業機２を降下して苗の植付作業を開始したりすると、畔ＡＺ１の乗り越え操作が簡略化出来る。
【００３０】
圃場Ｈ３との境である畔ＡＺ２に達すると、前記と同様の畔乗越え操作を行って次の圃場Ｈ３に移り、直進苗植付作業を行い、目標地Ｂに達すると走行を停止し、作業者が田植機１の旋回操作を行い、前回の直進走行と逆の方向へ平行に直進走行制御を開始する。
【００３１】
なお、畔ＡＺを検出する畔検出手段として前後傾斜センサ８の傾斜角度で説明したが、田植機１の前方をカメラで撮影して映像を解析して畔ＡＺを判別するようにすることも出来る。
【００３２】
また、田植機１は左右の傾きに弱く、畔に対して斜めに進んでいくと転倒の恐れがあるので、左右傾斜センサ９が検出する機体の左右傾きで走行を停止する角度は前後傾斜センサ８が検出する前後傾斜角で停止する角度よりも小さくすると良い。
【００３３】
図４、５は、田植機１のステップフロア１５の左右両側部に取り付ける第一サイドフロア１６と第二サイドフロア１７の取付構成を示している。
【００３４】
メインフレームの左右前後に長いサイドメインフレーム１８の前後に第一追加パイプ１９と第二追加パイプ２０を側方へ張り出してその端部を前後に縦パイプ２３で連結し、さらに第一追加パイプ１９と第二追加パイプ２０にそれぞれ延長パイプ２１，２２を差し込んで、これらの上に載せてフランジ部２５で第一サイドフロア１６と第二サイドフロア１７を連結して取り付けている。２４は補強パイプである。
【００３５】
図５、６は、苗植付作業機２の後部に取り付ける肥料散布機２９の取付構造を示している。苗植付作業機２の支持フレーム３０から後方へ突出した支持棒３１に肥料散布機２９の支持パイプ２８を後方より嵌め込み、支持棒３１と支持パイプ２８を連結ピン３６で連結する。
【００３６】
支持棒３１に突出するピン３２と支持パイプ２８に突出するピン３３をガイドプレート３４で長孔融通可能に連結し、ガイドプレート３４の上に山形ガイド３５を被せ、連結ピン３６で支持パイプ２８と支持棒３１と山形ガイド３５を貫通してヘヤーピン３７で抜け止めしている。
【００３７】
従って、肥料散布機２９を後方へ移動する場合は、連結ピン３６を抜き、支持棒３１から支持パイプ２８を倒さずにガイドプレート３４の長孔融通分だけ後方へ移動できて、苗植付作業機２の苗押え４０を上方へ跳ね上げることが可能になる。
【００３８】
図７には、田植機１の左右側部に設ける予備苗置台を示し、前台４１と中間台４２と後台４３が水平に並んだレール状態と上下三段にした段状態になるように支持脚４６を電動で伸縮駆動するが、その台駆動トグルスイッチ４４を後台４３の後端に設け、カバー４５で左右側面と上面を覆っている。
【００３９】
上下三段からレール状態になる場合に後台４３が後方へ移動するが、台駆動トグルスイッチ４４を触ると移動停止するようにして安全を確保している。再度台駆動トグルスイッチ４４をオンするとレール状態になるようにしている。台駆動トグルスイッチ４４の配線は支持脚４６の内側に沿わせている。
【符号の説明】
【００４０】
Ａ  走行開始地点
Ｂ  目標地点
ＡＺ  畔
４  緊急停止スイッチ
５  制御装置
６  ＧＰＳ受信器
７  地形地図データ
８  畔検出手段（前後傾斜センサ）
９  横傾斜センサ
１０  走行装置
１１  操舵装置
１２  昇降手段（昇降シリンダ）
【図１】
2019146505.tif 000003
【図２】
2019146505.tif 000004
【図３】
2019146505.tif 000005
【図４】
2019146505.tif 000006
【図５】
2019146505.tif 000007
【図６】
2019146505.tif 000008
【図７】
2019146505.tif 000009